(57)【要約】【課題】伝送効率を落とすこと無く、干渉測定を行うことができる基地局、端末、無線通信システムおよび通信方法を提供する。【解決手段】基地局は、端末と時分割複信方式の無線通信を行う基地局であって、前記端末から送信される、フレームの先頭の上りリンクプリアンブル区間にプリアンブル信号又はヌル信号が設定された上りリンク信号を受信する受信部と、前記上りリンクプリアンブル区間に前記ヌル信号が設定された場合、前記ヌル信号の区間を含む時間にて、干渉測定を行う干渉測定部と、を備える。【選択図】図２
2018117335.tif 000002
【特許請求の範囲】
【請求項１】
端末と時分割複信方式の無線通信を行う基地局であって、
前記端末から送信される、フレームの先頭の上りリンクプリアンブル区間にプリアンブル信号又はヌル信号が設定された上りリンク信号を受信する受信部と、
前記上りリンクプリアンブル区間に前記ヌル信号が設定された場合、前記ヌル信号の区間を含む時間にて、干渉測定を行う干渉測定部と、
を備える基地局。
【請求項２】
前記上りリンクプリアンブル区間に前記ヌル信号を設定するか否かを示す指示を含む下りリンク信号を送信する送信部、を更に備える、
請求項１に記載の基地局。
【請求項３】
前記送信部は、前記上りリンクプリアンブル区間に前記ヌル信号を設定するか否かに基づいて、前記下りリンク信号に含まれるプリアンブルを変更する、
請求項２に記載の基地局。
【請求項４】
前記下りリンク信号のプリアンブルは、信号成分が周期的に並ぶ信号であり、
前記送信部は、前記上りリンクプリアンブル区間に前記ヌル信号を設定するか否かに基づいて、前記信号成分の少なくとも１つの極性を反転する、
請求項３に記載の基地局。
【請求項５】
前記送信部は、ｎ番目（ｎは１以上の整数）のフレームの上りリンクプリアンブル区間に前記ヌル信号を設定することを示す指示を送信する場合、ｎ＋１番目のフレームの上りリンクプリアンブル区間に前記ヌル信号を設定しないことを示す指示を送信する、
請求項２に記載の基地局。
【請求項６】
前記送信部は、ｎ番目（ｎは１以上の整数）のフレームにおいて、前記上りリンクプリアンブル区間に前記ヌル信号を設定することを示す指示を含む下りリンク信号を送信し、
前記受信部は、ｎ＋２番目のフレームの前記ヌル信号の区間を含む時間にて、干渉測定を行う、
請求項２に記載の基地局。
【請求項７】
前記上りリンク信号のプリアンブルは、信号成分が周期的に並ぶ信号であり、
前記信号成分の少なくとも１つが、前記ヌル信号に置き換えられる、
請求項１に記載の基地局。
【請求項８】
前記受信部は、前記端末が複数の周波数帯を用いて送信する複数の上りリンク信号を受信し、
前記干渉測定部は、少なくとも１つの上りリンク信号の前記ヌル信号の区間を含む時間にて、干渉測定を行う、
請求項１に記載の基地局。
【請求項９】
前記受信部は、前記少なくとも１つの上りリンク信号とは異なる上りリンク信号の上りリンクプリアンブル区間に設定されたプリアンブル信号を用いて、同期検出を行う、
請求項８に記載の基地局。
【請求項１０】
前記複数の周波数帯の中の第１の周波数帯を用いて、前記上りリンクプリアンブル区間に前記ヌル信号を設定するか否かを示す指示を含む下りリンク信号を送信する送信部、を更に備え、
前記受信部は、前記端末が前記第１の周波数帯と異なる少なくとも１つの周波数帯を用いて、前記下りリンク信号の送信区間を含む区間において送信する前記上りリンク信号を受信し、
前記干渉測定部は、前記端末が前記少なくとも１つの周波数帯を用いて送信する前記少なくとも１つの上りリンク信号の前記ヌル信号を含む時間にて、干渉測定を行う、
請求項８に記載の基地局。
【請求項１１】
前記送信部は、前記下り信号の下りリンクプリアンブル区間にヌル信号に設定して送信する、
請求項２に記載の基地局。
【請求項１２】
基地局と時分割複信方式の無線通信を行う端末であって、
前記基地局から送信される、上りリンクプリアンブル区間にヌル信号を設定するか否かを示す指示を含む下りリンク信号を受信する受信部と、
前記ヌル信号を設定することが指示された場合、前記上りリンクプリアンブル区間に前記ヌル信号を設定した上りリンク信号を送信する送信部と、
を備える端末。
【請求項１３】
前記受信部は、前記基地局が複数の周波数帯の中の第１の周波数帯を用いて送信した前記下りリンク信号を受信し、
前記送信部は、前記第１の周波数帯と異なる少なくとも１つの周波数帯を用いて、前記下りリンク信号の受信区間を含む区間において前記上りリンク信号を送信し、
前記送信部は、前記ヌル信号を設定することが指示された場合、前記少なくとも１つの周波数帯を用いて送信する前記上りリンク信号の上りリンクプリアンブル区間に前記ヌル信号を設定する、
請求項１２に記載の端末。
【請求項１４】
基地局と時分割複信方式の無線通信を行う端末であって、
前記基地局から送信される、フレームの先頭の下りリンクプリアンブル区間にプリアンブル信号又はヌル信号が設定された下りリンク信号を受信する受信部と、
前記下りリンクプリアンブル区間に前記ヌル信号が設定された場合、前記ヌル信号の区間を含む時間にて、干渉測定を行う干渉測定部と、
を備える端末。
【請求項１５】
端末と基地局とが時分割複信方式の無線通信を行う無線通信システムであって、
前記端末は、
フレームの先頭の上りリンクプリアンブル区間にプリアンブル信号又はヌル信号を設定した上りリンク信号を送信する送信部を、
を備え、
前記基地局は、
前記上りリンク信号を受信する受信部と、
前記上りリンクプリアンブル区間に前記ヌル信号が設定された場合、前記ヌル信号の区間を含む時間にて、干渉測定を行う干渉測定部と、
を備える、
無線通信システム。
【請求項１６】
端末と時分割複信方式の無線通信を行う基地局における通信方法であって、
前記端末から送信される、フレームの先頭の上りリンクプリアンブル区間にプリアンブル信号又はヌル信号が設定された上りリンク信号を受信し、
前記上りリンクプリアンブル区間に前記ヌル信号が設定された場合、前記ヌル信号の区間を含む時間にて、干渉測定を行う、
通信方法。
【発明の詳細な説明】
【技術分野】
【０００１】
本開示は、基地局、端末、無線通信システムおよび通信方法に関する。
【背景技術】
【０００２】
従来、テレビの生中継、緊急報道等の映像伝送を行う無線通信システムに用いる装置として、ＦＰＵ（Field Pick-up Unit）が知られている。このＦＰＵは、放送分野の素材伝送のために用いられ、中継現場側の移動局（端末）から放送局側の基地局へ本線情報のＵＬ（Up Link）信号を伝送し、放送局側の基地局から中継現場側の移動局へ送り返し情報のＤＬ（Down Link）信号を伝送する。カメラにより撮像された映像は、リアルタイムでファイル伝送され、移動局から基地局へＵＬ信号として送信され、記憶メディアに格納され再生される。
【０００３】
ＦＰＵにおけるフレーム構成では、電波伝搬による遅延の影響を吸収し、ＵＬ信号とＤＬ信号との間の干渉を抑制するために、ＵＬ信号の送信期間とＤＬ信号の送信期間との間にガードタイム（ＧＴ：Guard Time）が設けられる。ＧＴでは、他のシステムとの干渉が測定される（例えば、特許文献１）。
【先行技術文献】
【特許文献】
【０００４】
【特許文献１】特開平９−５１３２７号公報
【発明の概要】
【発明が解決しようとする課題】
【０００５】
ＦＰＵの伝送効率を改善するためには、ＧＴは短い方が好ましいが、一方で、ＧＴを短くすると、干渉を測定するために必要なサンプル数が確保できないため、干渉測定の精度が劣化してしまう。
【０００６】
本開示の非限定的な実施例は、伝送効率を落とすこと無く、干渉測定を行うことができる基地局、端末、無線通信システムおよび通信方法を提供することである。
【課題を解決するための手段】
【０００７】
本開示の一態様に係る基地局は、端末と時分割複信方式の無線通信を行う基地局であって、前記端末から送信される、フレームの先頭の上りリンクプリアンブル区間にプリアンブル信号又はヌル信号が設定された上りリンク信号を受信する受信部と、前記上りリンクプリアンブル区間に前記ヌル信号が設定された場合、前記ヌル信号の区間を含む時間にて、干渉測定を行う干渉測定部と、を備える。
【０００８】
本開示の一態様に係る端末は、基地局と時分割複信方式の無線通信を行う端末であって、前記基地局から送信される、上りリンクプリアンブル区間にヌル信号を設定するか否かを示す指示を含む下りリンク信号を受信する受信部と、前記ヌル信号を設定することが指示された場合、前記上りリンクプリアンブル区間に前記ヌル信号を設定した上りリンク信号を送信する送信部と、を備える。
【０００９】
本開示の一態様に係る端末は、基地局と時分割複信方式の無線通信を行う端末であって、前記基地局から送信される、フレームの先頭の下りリンクプリアンブル区間にプリアンブル信号又はヌル信号が設定された下りリンク信号を受信する受信部と、前記下りリンクプリアンブル区間に前記ヌル信号が設定された場合、前記ヌル信号の区間を含む時間にて、干渉測定を行う干渉測定部と、を備える。
【００１０】
本開示の一態様に係る無線通信システムは、端末と基地局とが時分割複信方式の無線通信を行う無線通信システムであって、前記端末は、フレームの先頭の上りリンクプリアンブル区間にプリアンブル信号又はヌル信号を設定した上りリンク信号を送信する送信部を、を備え、前記基地局は、前記上りリンク信号を受信する受信部と、前記上りリンクプリアンブル区間に前記ヌル信号が設定された場合、前記ヌル信号の区間を含む時間にて、干渉測定を行う干渉測定部と、を備える。
【００１１】
本開示の一態様に係る通信方法は、端末と時分割複信方式の無線通信を行う基地局における通信方法であって、前記端末から送信される、フレームの先頭の上りリンクプリアンブル区間にプリアンブル信号又はヌル信号が設定された上りリンク信号を受信し、前記上りリンクプリアンブル区間に前記ヌル信号が設定された場合、前記ヌル信号の区間を含む時間にて、干渉測定を行う。
【００１２】
なお、これらの包括的または具体的な態様は、システム、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１３】
本開示の一態様によれば、伝送効率を落とすこと無く、干渉測定を行うことができる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】本開示の実施の形態１に係る端末の構成例を示すブロック図
【図２】本開示の実施の形態１に係る基地局の構成例を示すブロック図
【図３】本開示の実施の形態１におけるフレーム構成の一例を示す図
【図４】本開示の実施の形態１に係る端末のフローチャート
【図５】本開示の実施の形態１に係る基地局のフローチャート
【図６】本開示の実施の形態１の変形例１におけるフレーム構成を示す図
【図７】本開示の実施の形態１の変形例２におけるフレーム構成を示す図
【図８】本開示の実施の形態２に係る基地局の構成例を示すブロック図
【図９】本開示の実施の形態２に係る端末の構成例を示すブロック図
【図１０】本開示の実施の形態２におけるフレーム構成の一例を示す図
【図１１Ａ】本開示の実施の形態２におけるプリアンブルと相関結果の第１の例を示す図
【図１１Ｂ】本開示の実施の形態２におけるプリアンブルと相関結果の第２の例を示す図
【図１２】本開示の実施の形態３に係る端末の構成例を示すブロック図
【図１３】本開示の実施の形態３に係る基地局の構成例を示すブロック図
【図１４】本開示の実施の形態３におけるフレーム構成の一例を示す図
【図１５】本開示の実施の形態４におけるフレーム構成の一例を示す図
【図１６】本開示の実施の形態４におけるフレーム構成の別の一例を示す図
【図１７】本開示の実施の形態４の変形例におけるフレーム構成の一例を示す図
【図１８】本開示の実施の形態５に係る基地局の構成例を示すブロック図
【図１９】本開示の実施の形態５に係る端末の構成例を示すブロック図
【図２０】本開示の実施の形態５におけるフレーム構成の一例を示す図
【発明を実施するための形態】
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、添付図面および以下の説明は、当業者が本開示を十分に理解するために、提供されるのであって、これらにより特許請求の範囲に記載の主題を限定することは意図されていない。
【００１８】
（実施の形態１）
実施の形態１に係る無線通信システムは、図１に示す端末１００と、図２に示す基地局２００と、を有する。端末１００および基地局２００は、例えば、放送分野の素材伝送に用いられるＦＰＵである。すなわち、端末１００は上りリンク信号（ＵＬ（Uplink）信号）として映像情報等を基地局２００へ送信し、基地局２００は下りリンク信号（ＤＬ（Downlink）信号）としてフィードバックするＤＬ制御情報等を端末１００へ送信する。また、本実施の形態１に係る無線通信システムでは、時分割複信（ＴＤＤ：Time Division Duplex）方式を用いて、ＵＬ信号とＤＬ信号とが送受信される。
【００１９】
＜端末の構成＞
次に、本実施の形態１に係る端末１００の構成例について図１を用いて説明する。図１は、本実施の形態１に係る端末１００の構成例を示すブロック図である。
【００２０】
図１に示すように、端末１００は、無線受信部１０１と、ベースバンド受信処理部１０２と、ＡＧＣ／同期検出部１０３と、受信処理制御部１０４と、判定部１０５と、ベースバンド送信処理部１０６と、プリアンブル設定部１０７と、付加部１０８と、無線送信部１０９と、から主に構成される。
【００２１】
無線受信部１０１は、後述する受信処理制御部１０４から取得する１フレーム前のＡＧＣ（Automatic Gain Control）の情報に基づき、アンテナに受信された無線信号（ＤＬ信号）に対して、増幅、フィルタリング等の無線受信処理を行う。そして、無線受信部１０１は、無線受信処理後の信号に対してダウンコンバートし、ベースバンド信号を得る。そして、無線受信部１０１は、ベースバンド信号を出力する。
【００２２】
ベースバンド受信処理部１０２は、後述する受信処理制御部１０４から取得するタイミング情報に基づき、無線受信部１０１から取得したベースバンド信号に対して、ＦＦＴ（Fast Fourier Transform）処理、復調処理、誤り訂正処理等のベースバンド受信処理を行う。そして、ベースバンド受信処理部１０２は、ベースバンド受信処理が行われた受信データを出力する。なお、受信データには、基地局２００から送信される選択信号のベースバンド受信処理の結果が含まれる。選択信号のベースバンド受信処理の結果は、端末１００がＵＬプリアンブル区間にヌル信号を送信するか否かを示す指示情報である。
【００２３】
ＡＧＣ／同期検出部１０３は、無線受信部１０１から取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部１０３は、タイミング、ＡＧＣのための情報の検出結果を受信処理制御部１０４へ出力する。
【００２４】
受信処理制御部１０４は、ＡＧＣ／同期検出部１０３から取得する検出結果に基づいて、受信処理のタイミング、および、ＡＧＣを制御する。具体的には、受信処理制御部１０４は、ベースバンド受信処理の開始時点、終了時点等の処理タイミングを示すタイミング情報をベースバンド受信処理部１０２へ出力する。また、受信処理制御部１０４は、ＡＧＣの情報を無線受信部１０１へ出力する。
【００２５】
判定部１０５は、ベースバンド受信処理部１０２から出力される受信データから、指示情報を抽出する。そして、判定部１０５は、抽出した指示情報に基づき、プリアンブル区間にヌル信号を送信するか否かを判定する。判定部１０５は、判定結果をプリアンブル設定部１０７へ出力する。
【００２６】
ベースバンド送信処理部１０６は、送信データ（ＵＬデータ）に対して誤り訂正符号化および変調を行い、ＩＦＦＴ（Inverse Fast Fourier Transform）処理を行い、送信データのベースバンド信号を得る。そして、ベースバンド送信処理部１０６は、送信データのベースバンド信号を付加部１０８へ出力する。
【００２７】
プリアンブル設定部１０７は、判定部１０５から取得する判定結果に基づき、ＵＬ信号のプリアンブル区間（ＵＬプリアンブル区間）にて送信されるプリアンブル信号又はヌル信号を設定する。プリアンブル設定部１０７は、プリアンブル生成部１０７ａ、ヌル信号生成部１０７ｂ、および、切替部１０７ｃを有する。
【００２８】
プリアンブル生成部１０７ａは、プリアンブルを生成し、切替部１０７ｃへ出力する。プリアンブルデータは、予め端末１００と基地局２００とが既知のシンボルデータ等である。
【００２９】
ヌル信号生成部１０７ｂは、ヌル信号を生成し、切替部１０７ｃへ出力する。
【００３０】
切替部１０７ｃは、判定部１０５から取得する判定結果が、ＵＬプリアンブル区間にヌル信号を送信することを示す場合、ヌル信号生成部１０７ｂから取得するヌル信号を付加部１０８へ出力する。切替部１０７ｃは、判定部１０５から取得する判定結果が、ＵＬプリアンブル区間にヌル信号を送信しないことを示す場合、プリアンブル生成部１０７ａから取得するプリアンブルを付加部１０８へ出力する。
【００３１】
付加部１０８は、所定のフレーム構成に基づき、送信データのベースバンド信号の前段に切替部１０７ｃから取得する信号、つまり、プリアンブルまたはヌル信号を付加する。そして、付加部１０８は、送信データのベースバンド信号の前段にプリアンブルまたはヌル信号を付加したベースバンドの送信信号を無線送信部１０９へ出力する。
【００３２】
無線送信部１０９は、付加部１０８から取得したベースバンドの送信信号に対して、増幅、フィルタリング等の無線送信処理を行う。そして、無線送信部１０９は、無線送信処理後の信号に対してアップコンバートし、無線信号（ＵＬ信号）を得る。そして、無線送信部１０９は、アンテナからＵＬ信号を送信する。
【００３３】
＜基地局の構成＞
次に、本実施の形態１に係る基地局２００の構成例について図２を用いて説明する。図２は、本実施の形態１に係る基地局２００の構成例を示すブロック図である。
【００３４】
図２に示すように、基地局２００は、判定部２０１と、選択信号生成部２０２と、ベースバンド送信処理部２０３と、プリアンブル生成部２０４と、付加部２０５と、無線送信部２０６と、無線受信部２０７と、ベースバンド受信処理部２０８と、ＡＧＣ／同期検出部２０９と、ＡＧＣ／同期保持部２１０と、受信処理制御部２１１と、干渉測定部２１２と、から主に構成される。
【００３５】
判定部２０１は、ＵＬ信号のプリアンブル区間にて端末１００にヌル信号を送信させるか否かを判定する。以下では、ＵＬ信号のプリアンブル区間にて端末１００にヌル信号を送信させるという要求を、適宜、ヌル信号要求と呼ぶ。つまり、判定部２０１は、ヌル信号要求を行うか否かを判定する。例えば、判定部２０１は、ＵＬ信号とＤＬ信号との間に設けられるガードタイムの長さが閾値以下の場合に、ヌル信号要求を行うと判定する。あるいは、判定部２０１は、基地局２００と端末１００との距離が閾値以下の場合（つまり、近距離である場合）、ヌル信号要求を行うと判定する。判定部２０１は、判定結果を選択信号生成部２０２へ出力する。これは、基地局２００と端末１００との距離が閾値以上の場合（つまり、遠距離である場合）、ＵＬ信号とＤＬ信号との衝突回避のためのガードタイムを長めの値に設定せざるを得ず、元々挿入しているＵＬ信号とＤＬ信号との衝突回避のためのガードタイムを用いて干渉検出を行っても、十分な干渉検出性能が得られるためである。また、ヌル信号要求を周期的に行うことも可能である。例えば、２０フレームに１回だけヌル信号要求等のように、ヌル信号要求を固定周期で行ってもよいし、ヌル信号要求を行う周期を可変としてもよい。ヌル信号要求を行う周期を可変とする場合、回線変動速度等の情報を用いて、ヌル信号要求を行う周期を変化させることが可能であるが、ヌル信号要求を行う周期を示す専用の制御信号を基地局から移動局に通知する必要がある。しかし、このヌル信号要求を行う周期を示す専用の制御信号の情報量は、せいぜい１ビット〜３ビット程度あればよいため、制御信号の情報量の増加は少なく、伝送効率への影響は少ない。勿論、ヌル信号要求を行う方法は、複数の方法を組み合わせてもよい。
【００３６】
選択信号生成部２０２は、判定部２０１から取得する判定結果に基づいて、選択信号を生成する。具体的には、選択信号生成部２０２は、ヌル信号要求を行う場合、１ビットの選択信号を「１」に設定する。選択信号生成部２０２は、ヌル信号要求を行わない場合、１ビットの選択信号を「０」に設定する。選択信号生成部２０２は、選択信号をベースバンド送信処理部２０３へ出力する。
【００３７】
ベースバンド送信処理部２０３は、選択信号を含む送信データに対して誤り訂正符号化および変調を行い、ＩＦＦＴ（Inverse Fast Fourier Transform）処理を行い、ベースバンド信号を得る。そして、ベースバンド送信処理部２０３は、ベースバンド信号を付加部２０５へ出力する。
【００３８】
プリアンブル生成部２０４は、プリアンブルを生成し、付加部２０５へ出力する。プリアンブルデータは、予め端末１００と基地局２００とが既知のシンボルデータ等である。
【００３９】
付加部２０５は、所定のフレーム構成に基づき、送信データのベースバンド信号の前段にプリアンブル生成部２０４から取得するプリアンブルを付加する。そして、付加部２０５は、送信データのベースバンド信号の前段にプリアンブルを付加したベースバンドの送信信号を無線送信部２０６へ出力する。
【００４０】
無線送信部２０６は、プリアンブルを含むベースバンドの送信信号に対して、増幅、フィルタリング等の無線送信処理を行う。そして、無線送信部２０６は、無線送信処理後の信号に対してアップコンバートし、無線信号を得る。そして、無線送信部２０６は、アンテナから無線信号（ＤＬ信号）を送信する。
【００４１】
また、無線送信部２０６は、後述する干渉測定部２１２から取得する他システムとの干渉レベルを示す測定結果に基づいて、送信する周波数の切替等の制御を行っても良い。
【００４２】
無線受信部２０７は、後述する受信処理制御部２１１から取得する１フレーム前のＡＧＣの情報に基づき、アンテナに受信された無線信号（ＵＬ信号）に対して、増幅、フィルタリング等の無線受信処理を行う。そして、無線受信部２０７は、無線受信処理後の信号に対してダウンコンバートし、ベースバンド信号を得る。そして、無線受信部２０７は、ベースバンド信号を出力する。
【００４３】
ベースバンド受信処理部２０８は、後述する受信処理制御部２１１から取得するタイミング情報に基づき、無線受信部２０７から取得したベースバンド信号に対して、ＦＦＴ（Fast Fourier Transform）処理、復調処理、誤り訂正処理等のベースバンド受信処理を行う。そして、ベースバンド受信処理部２０８は、ベースバンド受信処理が行われた受信データを出力する。
【００４４】
ＡＧＣ／同期検出部２０９は、無線受信部２０７から取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部２０９は、タイミング、ＡＧＣのための情報の検出結果をＡＧＣ／同期保持部２１０および受信処理制御部２１１へ出力する。
【００４５】
なお、ＡＧＣ／同期検出部２０９は、端末１００がプリアンブル区間にヌル信号を送信する場合、プリアンブルが存在しないため、検出処理を実行せず、検出結果を出力しない。
【００４６】
ＡＧＣ／同期保持部２１０は、ＡＧＣ／同期検出部２０９が検出したＡＧＣ、タイミングの最新の検出結果を保持する。
【００４７】
受信処理制御部２１１は、受信処理のタイミング、および、ＡＧＣを制御する。具体的には、受信処理制御部２１１は、ベースバンド受信処理の開始時点、終了時点等の処理タイミングを示すタイミング情報をベースバンド受信処理部２０８へ出力する。また、受信処理制御部２１１は、干渉測定の開始時点、終了時点等の処理タイミングを示すタイミング情報を干渉測定部２１２へ出力する。また、受信処理制御部２１１は、ＡＧＣの情報を無線受信部２０７へ出力する。
【００４８】
その際、受信処理制御部２１１は、ＡＧＣ／同期検出部２０９から検出結果を取得する場合、取得した検出結果に基づいて、タイミング情報およびＡＧＣの情報を生成する。また、受信処理制御部２１１は、ＡＧＣ／同期検出部２０９から検出結果を取得しない場合、つまり、プリアンブル区間にヌル信号が送信された場合、ＡＧＣ／同期保持部２１０に保持された検出結果に基づいて、タイミング情報およびＡＧＣの情報を生成する。
【００４９】
干渉測定部２１２は、受信処理制御部２１１から取得するタイミング情報に基づき、ガードタイムの区間、または、ガードタイムの区間とヌル信号が送信されたプリアンブル区間とを合わせた区間を干渉測定区間として、干渉測定区間の受信レベル（干渉量、例えば、受信強度（ＲＳＳＩ：Received Signal Strength Indicator））を測定する。例えば、干渉測定部２１２は、測定結果を無線送信部２０６へ出力する。
【００５０】
＜フレーム構成＞
次に、本実施の形態１に係る無線通信システムにおけるフレーム構成について、図３を参照して説明する。図３は、本実施の形態１におけるフレーム構成の一例を示す図である。
【００５１】
図３には、端末１００が、ＵＬプリアンブル（UL Preamble）区間にプリアンブルを送信する場合（通常プリアンブル送信時）のフレーム構成と、端末１００が、ＵＬプリアンブル（UL Preamble）区間にヌル信号を送信する場合（ヌル信号送信時）のフレーム構成とが示される。
【００５２】
図３には、ＵＬ信号の送信期間と、ＤＬ信号の送信期間と、ガードタイム（ＧＴ：Guard Time）が示されている。前述の通り、本実施の形態１における無線通信システムでは、時分割複信方式を用いた通信が行われるため、図３に示すように、ＵＬ信号の送信期間とＤＬ信号の送信期間とは、ガードタイムを介して時分割によって設けられている。
【００５３】
端末１００は、図３に示すようなフレーム構成が示すＵＬ信号の送信期間に、基地局２００に対してＵＬ信号を送信する。同様に、基地局２００は、図３に示すようなフレーム構成が示すＤＬ信号の送信期間に、端末１００に対してＤＬ信号を送信する。
【００５４】
ＵＬ信号は、主に、ＵＬデータ（UL Data）の信号と、その前段に設けられるプリアンブル（UL Preamble）を含む。ＤＬ信号は、主に、プリアンブル（DL Preamble）と、ＤＬデータ（DL Data）の信号とを含む。
【００５５】
そして、ＤＬデータには、選択信号生成部２０２によって生成された選択信号が含まれる。プリアンブル送信時の選択信号は、「０」であり、ヌル信号送信時の選択信号は、「１」である。
【００５６】
ガードタイム（ＧＴ）は、電波伝搬による遅延の影響を吸収し、ＵＬ信号とＤＬ信号との間の干渉を抑制するために、ＵＬ信号の送信期間とＤＬ信号の送信期間との間に設けられる。
【００５７】
そして、ヌル信号送信時のフレーム構成に示されるように、選択信号が「１」の場合、端末１００は、ガードタイムの後に続くＵＬ信号のＵＬプリアンブル区間にヌル信号を送信する。基地局２００は、ガードタイムの区間とヌル信号が送信されるＵＬ信号のＵＬプリアンブル区間とを合わせた区間を干渉測定区間として、干渉測定を行う。
【００５８】
次に、本実施の形態１における端末の処理フローについて説明する。図４は、本実施の形態１における端末の処理フローを示すフローチャートである。図４では、ｎ番目のフレームのＤＬ信号の受信処理とｎ＋１番目のフレームのＵＬ信号の送信処理とにおける処理フローが示されている。
【００５９】
端末１００は、基地局２００から送信されたｎ番目のフレームのＤＬ信号を受信する（Ｓ１０１）。
【００６０】
そして、端末１００は、ＤＬ信号に含まれる選択信号から指示情報を抽出する（Ｓ１０２）。
【００６１】
端末１００は、抽出した指示情報に基づき、ｎ＋１番目のフレームのＵＬプリアンブル区間にヌル信号を送信するか否か（つまり、ヌル信号要求の有無）を判定する（Ｓ１０３）。
【００６２】
ＵＬプリアンブル区間にヌル信号を送信する場合（Ｓ１０３にてＹＥＳ）、端末１００は、ＵＬプリアンブル区間にヌル信号を設定する（Ｓ１０４）。
【００６３】
ＵＬプリアンブル区間にヌル信号を送信しない場合（Ｓ１０３にてＮＯ）、端末１００は、ＵＬプリアンブル区間にプリアンブルを設定する（Ｓ１０５）。
【００６４】
そして、端末１００は、ｎ＋１番目のＵＬ信号を送信する（Ｓ１０６）。ｎ＋１番目のＵＬ信号のＵＬプリアンブル区間には、ヌル信号またはプリアンブルが設定される。
【００６５】
次に、本実施の形態１における基地局の処理フローについて説明する。図５は、本実施の形態１における基地局の処理フローを示すフローチャートである。図５では、ｎ番目のフレームのＤＬ信号の送信処理とｎ＋１番目のフレームのＵＬ信号の受信処理とにおける処理フローが示されている。
【００６６】
基地局２００は、ｎ＋１番目のフレームのＵＬプリアンブル区間にて端末１００にヌル信号を送信させるか否か（つまり、ヌル信号要求を行うか否か）を判定する（Ｓ２０１）。
【００６７】
ｎ＋１番目のフレームのＵＬプリアンブル区間にヌル信号を送信させる場合（Ｓ２０１にてＹＥＳ）、基地局２００は、ｎ番目のフレームのＵＬ信号に含まれる選択信号として、選択信号「１」を生成する（Ｓ２０２）。
【００６８】
そして、基地局２００は、生成した選択信号を含むｎ番目のフレームのＤＬ信号を送信する（Ｓ２０３）。
【００６９】
そして、基地局２００は、ｎ＋１番目のフレームのＵＬ信号を受信する（Ｓ２０４）。
【００７０】
基地局２００は、ヌル信号が送信されたＵＬプリアンブル区間を含む干渉測定区間にて、干渉測定を行う（Ｓ２０５）。
【００７１】
ｎ＋１番目のフレームのＵＬプリアンブル区間にヌル信号を送信させない場合（Ｓ２０１にてＮＯ）、基地局２００は、ｎ番目のフレームのＵＬ信号に含まれる選択信号として、選択信号「０」を生成する。（Ｓ２０６）。
【００７２】
そして、基地局２００は、生成した選択信号を含むｎ番目のフレームのＤＬ信号を送信する（Ｓ２０７）。
【００７３】
そして、基地局２００は、ｎ＋１番目のフレームのＵＬ信号を受信する（Ｓ２０８）。
【００７４】
そして、基地局２００は、ＵＬプリアンブル区間のプリアンブルを検出する（Ｓ２０９）。
【００７５】
なお、Ｓ２０９にて、基地局２００は、ガードタイム区間を干渉測定区間として、干渉測定を行っても良い。
【００７６】
以上、本実施の形態１によれば、基地局２００が、干渉測定を実行する場合に、ＵＬ信号のプリアンブル区間にヌル信号を送信することを示す選択信号を端末１００に対して送信する。端末１００は、受信した選択信号に基づいて、ＵＬ信号のプリアンブル区間にヌル信号を送信する。その結果、基地局２００は、ガードタイムの区間とヌル信号が送信されるＵＬ信号のプリアンブル区間とを合わせた区間を干渉測定区間として、干渉測定を行うことができるため、ガードタイムを余分に長くすること無く、干渉測定の精度の劣化を防止することができる。
【００７７】
なお、本実施の形態１では、基地局２００が干渉測定を実行する場合に、選択信号を端末１００に対して送信する例について説明したが、本開示はこれに限定されない。例えば、端末１００がＵＬ信号のプリアンブル区間にヌル信号を送信する周期（例えば、２０フレームに１回）が、基地局２００と端末１００との間で予め既知であっても良い。その場合、基地局２００は、既知の周期で、ガードタイムの区間とヌル信号が送信されるＵＬ信号のプリアンブル区間とを合わせた区間を干渉測定区間として、干渉測定を行うことができるため、基地局２００は、選択信号を送信しなくても良い。
【００７８】
また、ＵＬ信号のプリアンブル区間にヌル信号を送信する周期を、回線の変動速度等に応じて可変としても良い。その場合、基地局２００は、回線の変動速度に基づいてヌル信号を送信する周期を判定し、判定した周期を示す制御信号を、選択信号の代わりに送信しても良い。
【００７９】
なお、ガードタイムは、上述の通り、電波伝搬による遅延の影響を吸収するために設けられるため、基地局２００と端末１００との間の距離が遠いほど長く設定される。そのため、基地局２００と端末１００との間の距離が遠い場合には、ガードタイムの区間にて干渉測定ができるため、ＵＬ信号のプリアンブル区間にヌル信号を送信しないように制御しても良い。
【００８０】
例えば、基地局２００は、基地局２００と端末１００との間の距離が閾値よりも大きい場合に、選択信号を「０」に設定し、距離が閾値よりも小さい場合に、選択信号を「１」に設定しても良い。
【００８１】
また、基地局２００がＵＬ信号のプリアンブル区間にヌル信号を送信することを示す選択信号を送信するタイミング、および／または、端末１００が、選択信号を受信し、ヌル信号を送信するタイミングは、適宜、変更しても良い。以下では、本実施の形態の変形例として、基地局２００が選択信号を送信するタイミングを変更する一例と、端末１００がヌル信号を送信するタイミングを変更する一例について説明する。
【００８２】
（実施の形態１の変形例１）
本実施の形態１の変形例１では、ヌル信号を送信するフレームの間隔を制御する例について説明する。
【００８３】
図６は、本実施の形態１の変形例１におけるフレーム構成を示す図である。図６には、プリアンブル送信時とヌル信号送信時のそれぞれにおける、ｎ番目のフレーム（Ｆｒａｍｅ  ＃ｎ）のＤＬ信号と、ｎ＋１番目のフレーム（Ｆｒａｍｅ  ＃ｎ＋１）のＵＬ信号およびＤＬ信号と、ｎ＋２番目のフレーム（Ｆｒａｍｅ  ＃ｎ＋２）が示される。なお、図示の便宜上、ｎ番目のフレームのＵＬ信号とｎ＋２番目のＤＬ信号とは、図６では省略されている。
【００８４】
図６に示すプリアンブル送信時のフレーム構成は、図３において説明したフレーム構成と同様であるので、詳細な説明は省略する。
【００８５】
図６に示すヌル信号送信時のフレーム構成において、基地局２００は、選択信号「１」を含むＤＬデータ信号をｎ番目のフレームにて送信する。端末１００は、ｎ番目のフレームのＤＬデータ信号を受信し、ｎ＋１番目のフレームのＵＬプリアンブル区間にヌル信号を送信する。
【００８６】
そして、基地局２００は、選択信号「１」を示すＤＬデータ信号をｎ番目のフレームにおいて送信した場合、ｎ＋１番目のフレーム（つまり、選択信号「１」を示すＤＬデータ信号を送信したフレームの次のフレーム）では、選択信号「０」を含むＤＬデータ信号を送信する。端末１００は、ｎ＋１番目のフレームのＤＬデータ信号を受信し、ｎ＋２番目のフレームのＵＬプリアンブル区間にヌル信号を送信せずに、プリアンブルを送信する。
【００８７】
図６に示すようなフレーム構成とする制御の一例について説明する。この制御は、例えば、判定部２０１の判定処理を変更することによって実行される。
【００８８】
判定部２０１は、ｎ番目のフレームのＵＬ信号のプリアンブル区間にて端末１００にヌル信号を送信させると判定した場合、ｎ＋１番目のフレームのＵＬ信号のプリアンブル区間にて端末１００にヌル信号を送信させない、と判定する。
【００８９】
図６に示すようなフレーム構成とする制御を基地局２００が行うことにより、ＵＬ信号のプリアンブル区間にプリアンブルが含まれないフレームが連続することを回避できるため、ＡＧＣ、タイミング情報の特性劣化を防止できる。
【００９０】
（実施の形態１の変形例２）
本実施の形態１の変形例２では、端末１００が、選択信号を受信できたか否かを示す結果（例えば、ＡＣＫ／ＮＡＣＫの情報）を基地局２００に通知した後で、ＵＬプリアンブル区間にてヌル信号を送信する例について説明する。
【００９１】
図７は、本実施の形態１の変形例２におけるフレーム構成を示す図である。図７には、プリアンブル送信時とヌル信号送信時のそれぞれにおける、ｎ番目のフレーム（Ｆｒａｍｅ  ＃ｎ）のＤＬ信号と、ｎ＋１番目のフレーム（Ｆｒａｍｅ  ＃ｎ＋１）のＵＬ信号およびＤＬ信号と、ｎ＋２番目のフレーム（Ｆｒａｍｅ  ＃ｎ＋２）が示される。なお、図示の便宜上、ｎ番目のフレームのＵＬ信号と、ｎ＋２番目のＤＬ信号とは、省略する。
【００９２】
プリアンブル送信時のフレーム構成は、図３において説明したので、詳細な説明は省略する。
【００９３】
ヌル信号送信時において、基地局２００は、選択信号「１」を含むＤＬデータ信号をｎ番目のフレームにおいて送信する。端末１００は、選択信号を受信できたか否かを示す判定結果を含むＵＬデータ信号をｎ＋１番目のフレームにおいて送信する。
【００９４】
例えば、端末１００は、選択信号を受信できた場合、ｎ＋１番目のフレームにおいてＡＣＫを含むＵＬデータ信号を送信し、ｎ＋２番目のフレームにおけるＵＬプリアンブル区間にてヌル信号を送信する。そして、基地局２００は、ＵＬデータ信号にＡＣＫが含まれていた場合、ｎ＋２番目のフレームにおいて干渉測定を実行する。
【００９５】
一方で、端末１００は、選択信号を受信できなかった場合、ｎ＋１番目のフレームにおいてＮＡＣＫを含むＵＬデータ信号を送信し、ｎ＋２番目のフレームにおけるＵＬプリアンブル区間にてプリアンブルを送信する。そして、基地局２００は、ＵＬデータ信号にＮＡＣＫが含まれていた場合、ｎ＋１番目のフレームにおいて選択信号「１」を含むＤＬデータ信号を再び送信しても良い。
【００９６】
図７に示すようなフレーム構成とする制御の一例について説明する。この制御は、例えば、判定部１０５の処理を変更することによって実行される。
【００９７】
判定部１０５は、ｎ番目のフレームにて、ベースバンド受信処理部１０２から出力される受信データから、指示情報を抽出できたか否かを判定する。指示情報を抽出できた場合とは、つまり、選択信号を受信できた場合に相当し、指示情報を抽出できなかった場合とは、つまり、選択信号を受信できなかった場合に相当する。
【００９８】
判定部１０５は、ｎ番目のフレームにて、指示情報を抽出できた場合、ｎ＋１番目のフレームにおいてＡＣＫを送信するように付加部１０８へ通知し、ｎ＋２番目のフレームのＵＬプリアンブル区間にてヌル信号に切替える判定結果を切替部１０７ｃへ出力する。
【００９９】
判定部１０５は、ｎ番目のフレームにて、指示情報を抽出できなかった場合、ｎ＋１番目のフレームにおいてＮＡＣＫを送信するように付加部１０８へ通知し、ｎ＋２番目のフレームのＵＬプリアンブル区間にてプリアンブルに切替える判定結果を切替部１０７ｃへ出力する。
【０１００】
図７に示すようなフレーム構成とする制御を行うことにより、基地局２００は、判定結果（ＡＣＫ／ＮＡＣＫ）を受信することができるため、基地局２００が、干渉測定を行う際に、ＵＬプリアンブル区間にヌル信号が送信されないという状況を回避できる。そのため、基地局２００と端末１００との間で、動作のズレが発生することを回避できる。
【０１０１】
（実施の形態２）
上述した実施の形態１では、ＵＬプリアンブル区間にヌル信号を送信するか否かを端末１００へ通知する選択信号をＤＬデータ信号に追加する例について説明した。本実施の形態２では、ＵＬプリアンブル区間にヌル信号を送信するか否かを端末へ通知するために、基地局がＤＬプリアンブルを変更する例について説明する。
【０１０２】
＜基地局の構成＞
本実施の形態２に係る基地局の構成例について図８を用いて説明する。図８は、本実施の形態２に係る基地局３００の構成例を示すブロック図である。なお、図８において、図２と同様の構成については、同一の符番を付し、説明を省略する。
【０１０３】
基地局３００は、図２に示した基地局２００の選択信号生成部２０２が削除され、プリアンブル生成部２０４がプリアンブル生成部３０４に置き換わった構成を採る。そして、判定部２０１は、プリアンブル生成部３０４と接続する構成を採る。
【０１０４】
判定部２０１は、ＵＬ信号のプリアンブル区間にて後述する端末４００にヌル信号を送信させるか否かを判定する。判定部２０１は、判定結果をプリアンブル生成部３０４へ出力する。
【０１０５】
プリアンブル生成部３０４は、プリアンブルを生成し、付加部２０５へ出力する。その際、プリアンブル生成部３０４は、判定部２０１から取得する判定結果に基づいて、プリアンブルの一部の極性を変更する。
【０１０６】
プリアンブル生成部３０４は、配置部３０４ａ、逆フーリエ変換部３０４ｂおよび極性変更部３０４ｃを有する。
【０１０７】
配置部３０４ａは、プリアンブルデータを、ＯＦＤＭ伝送に用いられるサブキャリア群の一部のサブキャリアからなるサブキャリア群に配置する。
【０１０８】
例えば、ＯＦＤＭ伝送のサブキャリアの数を２Ｎ＋１（Ｎは１以上の整数）とし、各サブキャリアに対して、周波数の低いサブキャリアから順に＃−Ｎから＃Ｎまでのサブキャリア番号を付した場合、配置部３０４ａは、０を除く８の倍数のサブキャリア番号（サブキャリア番号＃−１６、＃−８、＃８、＃１６等）に対応するサブキャリア群に配置する。配置部３０４ａが、このような配置を行う事により、後述する逆フーリエ変換部３０４ｂから出力されるプリアンブルの時間信号は、互いに同一の８つの信号成分が時間軸方向に並ぶ周期信号となる。
【０１０９】
逆フーリエ変換部３０４ｂは、配置部３０４ａにより配置されたプリアンブルに対して、ＩＦＦＴ（Inverse Fast Fourier Transform）処理を行い、ベースバンドのプリアンブルを得る。そして、逆フーリエ変換部３０４ｂは、ベースバンドのプリアンブルを極性変更部３０４ｃへ出力する。
【０１１０】
極性変更部３０４ｃは、判定部２０１から取得する判定結果に基づいて、ベースバンドのプリアンブルの信号成分の一部の極性を変更する。具体的には、極性変更部３０４ｃは、ＵＬ信号のプリアンブル区間にて端末４００にヌル信号を送信させる場合、ベースバンドのプリアンブルの信号成分の一部の極性を変更し、変更後のプリアンブルを付加部２０５へ出力する。極性変更部３０４ｃは、ＵＬ信号のプリアンブル区間にて端末１００にヌル信号を送信させない場合、ベースバンドのプリアンブルの信号成分の一部の極性を変更せずに、付加部２０５へ出力する。なお、極性変更部３０４ｃにおけるプリアンブルの極性変更については、後述する。
【０１１１】
＜端末の構成＞
次に、本実施の形態２に係る端末４００の構成例について図９を用いて説明する。図９は、本実施の形態２に係る端末４００の構成例を示すブロック図である。なお、図９において、図１と同様の構成については、同一の符番を付し、説明を省略する。
【０１１２】
端末４００は、図１に示した端末１００の判定部１０５が判定部４０５に置き換わった構成を採る。
【０１１３】
判定部４０５は、無線受信部１０１から取得したベースバンド信号に含まれるプリアンブルに基づいて、ＵＬ信号のプリアンブル区間にヌル信号を送信するか否かを判定する。具体的には、判定部４０５は、プリアンブルを抽出し、プリアンブルに対して相互相関処理を行う。前述の通り、基地局３００は、ＵＬ信号のプリアンブル区間にて端末４００にヌル信号を送信させるか否かに応じて、ベースバンドのプリアンブルの一部の極性を変更する。そのため、判定部４０５は、プリアンブルに対して相互相関処理を行うことにより、プリアンブルの一部の極性が変更されたか否かを検出し、ＵＬ信号のプリアンブル区間にヌル信号を送信するか否かを判定する。判定部４０５は、判定結果をプリアンブル設定部１０７（詳細には、切替部１０７ｃ）へ出力する。なお、判定部４０５における相互相関処理については後述する。
【０１１４】
＜フレーム構成＞
次に、本実施の形態２に係る無線通信システムにおけるフレーム構成について、図１０を参照して説明する。図１０は、本実施の形態２におけるフレーム構成の一例を示す図である。
【０１１５】
図１０に示す本実施の形態２におけるフレーム構成と、図３に示した実施の形態１におけるフレーム構成との相違点は、図３においてＤＬデータ信号に選択信号が含まれる代わりに、ＤＬプリアンブルがプリアンブル送信時とヌル信号送信時とで変更される点である。次に、プリアンブル送信時とヌル信号送信時とで変更されるＤＬプリアンブルについて説明する。
【０１１６】
＜プリアンブルの構成と相関処理＞
図１１Ａは、本実施の形態２におけるプリアンブルと相関結果の第１の例を示す図である。図１１Ｂは、本実施の形態２におけるプリアンブルと相関結果の第２の例を示す図である。
【０１１７】
前述の通り、ＤＬプリアンブルは、互いに同一の８つの信号成分が時間軸方向に並ぶ周期信号である。図１１Ａ、図１１Ｂでは、ＤＬデータ信号の前段に付加されるプリアンブルの８つの信号成分に対して、それぞれ、Ｐｒｅａｍｂｌｅ（＃１）〜Ｐｒｅａｍｂｌｅ（＃８）と付している。また、図１１Ｂでは、極性変更部３０４ｃが、ＵＬ信号のプリアンブル区間にて端末４００にヌル信号を送信させる場合に、８つの信号成分の時間軸方向の後端の信号成分の極性を反転する場合を例に挙げ、Ｐｒｅａｍｂｌｅ（＃８）の極性が反転した信号成分を、Ｐｒｅａｍｂｌｅ（＃８）’として示している。
【０１１８】
また、判定部４０５は、相互相関処理の一例として、Ｐｒｅａｍｂｌｅ（＃１）とＰｒｅａｍｂｌｅ（＃１）の極性を反転させた信号成分（以下、Ｐｒｅａｍｂｌｅ（＃１）’と呼ぶ）との組を基準信号とし、この基準信号と、プリアンブル内で隣接する２つの信号成分の組（例えば、Ｐｒｅａｍｂｌｅ（＃１）とＰｒｅａｍｂｌｅ（＃２））との相互相関を順に行う。
【０１１９】
図１１Ａに示す例は、ＵＬ信号のプリアンブル区間にて端末４００にヌル信号を送信させない場合のプリアンブルと、そのプリアンブルに対する相関処理の結果である。図１１Ａに示すように、ＵＬ信号のプリアンブル区間にて端末４００にヌル信号を送信させない場合のプリアンブルに極性の変更が行われない。この場合、例えば、基準信号とＰｒｅａｍｂｌｅ（＃１）およびＰｒｅａｍｂｌｅ（＃２）の組との相互相関は、基準信号のＰｒｅａｍｂｌｅ（＃１）’とＰｒｅａｍｂｌｅ（＃２）とが互いに極性が異なる信号成分であるため、相互相関にピークが発生しない。他の信号成分の組についても、同様に、相互相関にピークが発生しないため、プリアンブルに対する相互相関の相関結果には、ピークが存在しない。
【０１２０】
図１１Ｂに示す例は、ＵＬ信号のプリアンブル区間にて端末４００にヌル信号を送信させる場合のプリアンブルと、そのプリアンブルに対する相関処理の結果である。図１１Ｂに示すように、ＵＬ信号のプリアンブル区間にて端末４００にヌル信号を送信させる場合のプリアンブルの終端の信号成分であるＰｒｅａｍｂｌｅ（＃８）は、極性の反転が行われている。この場合、基準信号とＰｒｅａｍｂｌｅ（＃７）およびＰｒｅａｍｂｌｅ（＃８）’の組との相互相関は、Ｐｒｅａｍｂｌｅ（＃１）’とＰｒｅａｍｂｌｅ（＃８）’とが互いに極性が同一の信号成分であるため、プリアンブルの終端の位置に相当する位置にピークが発生する。
【０１２１】
判定部４０５は、相互相関の結果、受信したＤＬプリアンブルの終端の位置に相当する位置にピークが発生していない場合、プリアンブル区間にヌル信号を送信しないと判定する。判定部４０５は、相互相関の結果、受信したＤＬプリアンブルの終端の位置に相当する位置にピークが発生している場合、プリアンブル区間にヌル信号を送信すると判定する。
【０１２２】
以上、本実施の形態２によれば、基地局３００が、干渉測定を実行する場合に、ＵＬ信号のプリアンブル区間にヌル信号を送信することを示すＤＬプリアンブルを送信する。端末４００は、受信したＤＬプリアンブルに基づいて、ＵＬ信号のプリアンブル区間にヌル信号を送信する。その結果、基地局３００は、ガードタイムの区間とヌル信号が送信されるＵＬ信号のプリアンブル区間とを合わせた区間を干渉測定区間として、干渉測定を行うことができるため、ガードタイムを余分に長くすること無く、干渉測定の精度の劣化を防止することができる。
【０１２３】
また、本実施の形態２によれば、基地局３００は、ＤＬデータ信号に選択信号を追加せずに、ＵＬ信号のプリアンブル区間にヌル信号を送信することを示す指示（つまり、ヌル信号要求）を端末４００に送信することができる。
【０１２４】
また、本実施の形態２によれば、基地局３００は、周期性を有するＤＬプリアンブルを端末４００に送信する。そのため、例えば、マルチパス環境下であっても、端末４００におけるプリアンブルの検出精度を向上させることができる。
【０１２５】
なお、本実施の形態２では、ＤＬプリアンブルが、互いに同一の８つの信号成分が時間軸方向に並ぶ周期信号の例について説明したが、本開示はこれに限定されない。ＤＬプリアンブルの周期は、配置部３０４ａにおいてプリアンブルデータを配置するサブキャリアを変更することによって変更しても良い。例えば、配置部３０４ａが０を除く４の倍数のサブキャリア番号（サブキャリア番号＃−８、＃−４、＃４、＃８等）に対応するサブキャリア群に配置した場合、ＤＬプリアンブルは、互いに同一の４つの信号成分が時間軸方向に並ぶ周期信号となる。この場合であっても、極性変更部３０４ｃが、プリアンブルの信号成分の一部の極性を変更することにより、端末４００に対して、ＵＬ信号のプリアンブル区間にヌル信号を送信することを示す通知を送信できる。
【０１２６】
また、配置部３０４ａは、０のサブキャリア番号に対応するサブキャリアに配置しても良い。
【０１２７】
また、極性変更部３０４ｃは、ＵＬ信号のプリアンブル区間にて端末４００にヌル信号を送信させる場合に信号成分の一部の極性を変更せず、ＵＬ信号のプリアンブル区間にて端末１００にヌル信号を送信させない場合に、信号成分の一部の極性を変更しても良い。また、極性変更部３０４ｃは、ＵＬ信号のプリアンブル区間にて端末４００にヌル信号を送信させる場合と、ＵＬ信号のプリアンブル区間にて端末４００にヌル信号を送信させない場合とで、極性を変更する信号成分を異ならせるようにしても良い。また、極性変更部３０４ｃが極性を変更する信号成分の位置は、プリアンブルの後端に限らない。また、極性変更部３０４ｃが極性を変更する信号成分の数は、１つに限定されない。
【０１２８】
（実施の形態３）
上述した実施の形態１、実施の形態２では、端末が、ＵＬプリアンブル区間の全てにおいてヌル信号を送信するか又はプリアンブルを送信するかを切替える構成について説明した。本実施の形態３では、端末がＵＬプリアンブル区間の一部にヌル信号を送信する構成について説明する。
【０１２９】
＜端末の構成＞
本実施の形態３に係る端末の構成について図１２を用いて説明する。図１２は、本実施の形態３に係る端末５００の構成例を示すブロック図である。なお、図１２において、図９と同様の構成については、同一の符番を付し、説明を省略する。
【０１３０】
端末５００は、図９に示した端末４００のプリアンブル設定部１０７が、プリアンブル設定部５０７に置き換わった構成を採る。
【０１３１】
プリアンブル設定部５０７は、ＵＬプリアンブルとして、互いに同一の複数の信号成分から構成されるプリアンブルを生成し、判定部４０５から取得する判定結果に基づいて、プリアンブルの信号成分の一部をヌル信号に置換する。
【０１３２】
具体的には、プリアンブル設定部５０７は、配置部５０７ａ、逆フーリエ変換部５０７ｂ、および、ヌル信号置換部５０７ｃを有する。
【０１３３】
配置部５０７ａは、プリアンブルデータを、ＯＦＤＭ伝送に用いられるサブキャリア群の一部のサブキャリアからなるサブキャリア群に配置する。
【０１３４】
例えば、ＯＦＤＭ伝送のサブキャリアの数を２Ｎ＋１（Ｎは１以上の整数）とし、各サブキャリアに対して、周波数の低いサブキャリアから順に＃−Ｎから＃Ｎまでのサブキャリア番号を付した場合、配置部５０７ａは、０を除く８の倍数のサブキャリア番号（サブキャリア番号＃−１６、＃−８、＃８、＃１６等）に対応するサブキャリア群に配置する。配置部５０７ａが、このような配置を行う事により、後述する逆フーリエ変換部５０７ｂから出力されるプリアンブルの時間信号は、互いに同一の８つの信号成分が時間軸方向に並ぶ周期信号となる。
【０１３５】
逆フーリエ変換部５０７ｂは、配置部５０７ａにより配置されたプリアンブルに対して、ＩＦＦＴ（Inverse Fast Fourier Transform）処理を行い、ベースバンドのプリアンブルを得る。そして、逆フーリエ変換部５０７ｂは、ベースバンドのプリアンブルをヌル信号置換部５０７ｃへ出力する。
【０１３６】
ヌル信号置換部５０７ｃは、判定部４０５から取得する判定結果に基づいて、ベースバンドのプリアンブルの信号成分の一部をヌル信号に置換する。具体的には、ヌル信号置換部５０７ｃは、ＵＬ信号のプリアンブル区間にてヌル信号を送信する場合、ベースバンドのプリアンブルの信号成分の一部（例えば、先頭部分）をヌル信号に置換し、置換後のプリアンブルを付加部１０８へ出力する。ヌル信号置換部５０７ｃはＵＬ信号のプリアンブル区間にてヌル信号を送信しない場合、ヌル信号への置換を行わずに、付加部１０８へ出力する。なお、ヌル信号置換部５０７ｃにおいてヌル信号に置換されたプリアンブル構成については、後述する。
【０１３７】
＜基地局の構成＞
本実施の形態３に係る基地局の構成例について図１３を用いて説明する。図１３は、本実施の形態３に係る基地局６００の構成例を示すブロック図である。なお、図１３において、図８と同様の構成については、同一の符番を付し、説明を省略する。
【０１３８】
基地局６００は、図８に示した基地局３００のＡＧＣ／同期保持部２１０が削除され、ＡＧＣ／同期検出部２０９、受信処理制御部２１１、干渉測定部２１２がそれぞれＡＧＣ／同期検出部６０９、受信処理制御部６１１、干渉測定部６１２に置き換わった構成を採る。
【０１３９】
ＡＧＣ／同期検出部６０９は、無線受信部２０７から取得したベースバンド信号に含まれるプリアンブルに基づいて、送受信間の同期のためのタイミングの情報、および、受信処理等における利得制御（ＡＧＣ）のための情報（例えば、信号レベル）を検出する。本実施の形態３では、上述の通り、端末５００は、一部がヌル信号に置換されたＵＬプリアンブルを送信する場合と、ヌル信号に置換されていないＵＬプリアンブルを送信する場合とが存在する。そのため、ＡＧＣ／同期検出部６０９は、後述する受信処理制御部６１１から、プリアンブル区間の長さを示すタイミング情報を取得し、そのタイミング情報に基づいて、プリアンブル検出を行う。そして、ＡＧＣ／同期検出部６０９は、ＡＧＣ、タイミングの検出結果を受信処理制御部６１１へ出力する。
【０１４０】
受信処理制御部６１１は、ＡＧＣ／同期検出部６０９から取得する検出結果に基づいて、受信処理のタイミング、および、ＡＧＣを制御する。具体的には、受信処理制御部６１１は、ベースバンド受信処理の開始時点、終了時点等の処理タイミングを示すタイミング情報をベースバンド受信処理部２０８へ出力する。
【０１４１】
また、受信処理制御部６１１は、端末５００が、一部をヌル信号に置換したＵＬプリアンブルを送信するか否かに基づいて、プリアンブル区間と干渉測定区間とを判定し、それぞれの区間を示すタイミング情報をＡＧＣ／同期検出部６０９および干渉測定部６１２へ出力する。また、受信処理制御部６１１は、ＡＧＣの情報を無線受信部２０７へ出力する。
【０１４２】
干渉測定部６１２は、受信処理制御部６１１から取得するタイミング情報に基づき、ガードタイムの区間、または、ガードタイムの区間とヌル信号が送信されたプリアンブル区間とを合わせた区間を干渉測定区間として、干渉測定区間の受信レベルを測定する。干渉測定部６１２は、測定結果を無線送信部２０６へ出力する。
【０１４３】
＜フレーム構成＞
次に、本実施の形態３に係る無線通信システムにおけるフレーム構成について、図１４を参照して説明する。図１４は、本実施の形態３におけるフレーム構成の一例を示す図である。
【０１４４】
図１４に示す実施の形態３におけるフレーム構成と、図１０に示した実施の形態２におけるフレーム構成との相違点は、ＵＬプリアンブルが互いに同一の８つの信号成分が時間軸方向に並ぶ周期信号である点と、ヌル信号送信時において、ＵＬプリアンブル区間の全体でヌル信号が送信される代わりにＵＬプリアンブル区間の一部でヌル信号が送信される点である。
【０１４５】
図１４に示すフレーム構成にて通信を行うことにより、基地局６００は、ヌル信号送信時に、ガードタイムの区間とヌル信号が送信されたプリアンブル区間の一部の区間とを合わせた区間を干渉測定区間として干渉測定を行うことができ、ヌル信号送信時であっても、ヌル信号が送信されずにプリアンブルの信号成分が送信された区間にて、プリアンブル検出を行うことができる。
【０１４６】
以上、本実施の形態３によれば、基地局６００が、干渉測定を実行する場合に、ＵＬ信号のプリアンブル区間にヌル信号を送信することを示すＤＬプリアンブルを端末５００に対して送信する。端末５００は、受信したＤＬプリアンブルに基づいて、ＵＬ信号のプリアンブル区間において、一部をヌル信号に置換したプリアンブルを送信する。その結果、基地局６００は、ガードタイムの区間とヌル信号が送信されるＵＬ信号のプリアンブル区間とを合わせた区間を干渉測定区間として、干渉測定を行うことができ、ヌル信号に置換されていないプリアンブルの検出を行うことができる。つまり、干渉測定の精度の劣化を防止しながら、最新のＡＧＣの情報、タイミング情報を取得できるため、例えば、端末が高速移動し、伝搬環境の変動が速い場合であっても、ＡＧＣの情報、タイミング情報の精度の劣化を防ぐことができる。
【０１４７】
なお、端末５００において、ヌル信号に置換する信号成分の数（つまり、ヌル信号を送信する区間）は、図１４に示した例に限られず、適宜、変更されても良い。例えば、基地局６００が、ヌル信号を送信する区間を端末５００に対して指示することにより、端末５００が、ヌル信号を送信する区間を変更するような構成であっても良い。例えば、基地局６００と端末５００との距離が閾値以下の場合（つまり、近距離である場合）、ヌル信号を送信する区間を長めの値に設定することも可能である。この場合、ヌル信号を送信する区間を示す専用の制御信号を基地局から移動局に通知する必要がある。しかし、このヌル信号区間を示す専用の制御信号情報量は、せいぜい１ビット〜３ビット程度あればよいため、制御信号情報量の増加は少なく、伝送効率への影響は少ない。
【０１４８】
（実施の形態４）
上述した各実施の形態では、基地局と端末とを含む無線通信システムが１つの周波数帯を用いて通信を行う例について説明したが、本開示は、無線通信システムが複数の周波数帯を用いて通信を行う場合であっても適用できる。本実施の形態４では、実施の形態１において説明した無線通信システムが、２つの周波数帯を用いる例について説明する。なお、以下の説明では、無線通信システムが第１の周波数帯（ｆ１）と第２の周波数帯（ｆ２）との２つの周波数帯を用いる例を一例として説明する。そして、第１の周波数帯を用いて送受信されるＵＬ信号、ＤＬ信号をそれぞれ第１のＵＬ信号、第１のＤＬ信号とし、第２の周波数帯を用いて送受信されるＵＬ信号、ＤＬ信号をそれぞれ第２のＵＬ信号、第２のＤＬ信号として説明する。
【０１４９】
本実施の形態４に係る端末は、第１のＵＬ信号の送信処理と、第２のＵＬ信号の送信処理とを、互いに同期を確保しながら、並列に行う。また、本実施の形態４に係る端末は、第１のＤＬ信号の受信処理と、第２のＤＬ信号の受信処理とを、互いに同期を確保しながら、並列に行う。第１のＵＬ信号の送信処理と、第２のＵＬ信号の送信処理とは、実施の形態１に係る端末１００におけるＵＬ信号の送信処理と同様であるため、詳細な説明は省略する。また、第１のＤＬ信号の受信処理と、第２のＤＬ信号の受信処理とは、実施の形態１に係る端末１００におけるＤＬ信号の受信処理と同様であるため、詳細な説明は省略する。
【０１５０】
本実施の形態４に係る基地局は、第１のＤＬ信号の送信処理と、第２のＤＬ信号の送信処理とを、互いに同期を確保しながら、並列に行う。また、本実施の形態４に係る基地局は、第１のＵＬ信号の受信処理と、第２のＵＬ信号の受信処理とを、互いに同期を確保しながら並列に行う。第１のＤＬ信号の送信処理と、第２のＤＬ信号の送信処理とは、実施の形態１に係る基地局２００におけるＤＬ信号の送信処理と同様であるため、詳細な説明は省略する。また、第１のＵＬ信号の受信処理と、第２のＵＬ信号の受信処理とは、実施の形態１に係る基地局２００におけるＵＬ信号の受信処理と同様であるため、詳細な説明は省略する。
【０１５１】
＜フレーム構成＞
次に、本実施の形態４に係る無線通信システムにおけるフレーム構成について、図１５を参照して説明する。図１５は、本実施の形態４におけるフレーム構成の一例を示す図である。図１５において、図３と同様の構成については、詳細な説明を省略する。
【０１５２】
図１５には、第１の周波数帯、第２の周波数帯それぞれのフレーム構成が示される。そして、各フレーム構成では、ＤＬ信号に含まれる選択信号に応じて、ＵＬ信号のプリアンブル区間にヌル信号またはプリアンブルが送信される。
【０１５３】
また、図１５では、ｎ＋１番目のフレーム（Ｆｒａｍｅ  ＃ｎ＋１）の第２のＵＬ信号のプリアンブル区間において、ヌル信号が送信され、第１のＵＬ信号のプリアンブル区間において、プリアンブルが送信される。同様に、ｎ＋２番目のフレーム（Ｆｒａｍｅ  ＃ｎ＋２）の第１のＵＬ信号のプリアンブル区間において、ヌル信号が送信され、第２のＵＬ信号のプリアンブル区間において、プリアンブルが送信される。つまり、２つの周波数帯のいずれか一方のＵＬプリアンブル区間でヌル信号が送信された場合に、他方でプリアンブルが送信される。
【０１５４】
このようなフレーム構成にすることにより、プリアンブルが送信されるＵＬ信号の受信処理において得られるＡＧＣ、タイミング情報を、ヌル信号が送信されるＵＬ信号の受信処理に用いることができる。
【０１５５】
２つの周波数帯のいずれか一方のＵＬプリアンブル区間でヌル信号が送信された場合に、他方でプリアンブルが送信される制御は、例えば、基地局の判定部（図２の判定部２０１）により実行される。
【０１５６】
具体的には、判定部は、第１のＵＬ信号のプリアンブル区間にて端末にヌル信号を送信させると判定した場合、第２のＵＬ信号のプリアンブル区間にて端末にプリアンブルを送信させない、と判定する。同様に、判定部は、第２のＵＬ信号のプリアンブル区間にて端末にヌル信号を送信させると判定した場合、第１のＵＬ信号のプリアンブル区間にて端末にプリアンブルを送信させない、と判定する。つまり、判定部は、２つの周波数帯のＵＬ信号のプリアンブル区間にて、同時に、ヌル信号が送信されないように判定を行う。
【０１５７】
以上、本実施の形態４では、端末が第１のＵＬ信号のプリアンブル区間にヌル信号を送信することにより、基地局は、第１の周波数帯において、ガードタイムの区間とヌル信号が送信される第１のＵＬ信号のプリアンブル区間とを合わせた区間を干渉測定区間として、干渉測定を行うことができる。同様に、端末が第２のＵＬ信号のプリアンブル区間にヌル信号を送信することにより、基地局は、第２の周波数帯において、ガードタイムの区間とヌル信号が送信される第２のＵＬ信号のプリアンブル区間とを合わせた区間を干渉測定区間として、干渉測定を行うことができる。
【０１５８】
なお、上述した実施の形態４では、実施の形態１において説明した無線通信システムが、２つの周波数帯を用いる例について説明したが、本開示はこれに限定されない。以下では、実施の形態２において説明した無線通信システムが、２つの周波数帯を用いる例について説明する。なお、この例における端末と基地局の構成は、実施の形態２の端末と基地局と同様であるので、詳細な説明は省略する。以下では、実施の形態２において説明した無線通信システムが、２つの周波数帯を用いる例におけるフレーム構成を説明する。
【０１５９】
図１６は、本実施の形態４におけるフレーム構成の別の一例を示す図である。図１６において、図１０と同様の構成については、詳細な説明を省略する。
【０１６０】
図１６には、第１の周波数帯、第２の周波数帯それぞれのフレーム構成が示される。そして、各フレーム構成では、ＤＬ信号に含まれるＤＬプリアンブルに応じて、ＵＬ信号のプリアンブル区間にヌル信号またはプリアンブルが送信される。
【０１６１】
このようなフレーム構成であっても、上述した本実施の形態４と同様に、端末が第１のＵＬ信号のプリアンブル区間にヌル信号を送信することにより、基地局は、第１の周波数帯において、ガードタイムの区間とヌル信号が送信される第１のＵＬ信号のプリアンブル区間とを合わせた区間を干渉測定区間として、干渉測定を行うことができる。同様に、端末が第２のＵＬ信号のプリアンブル区間にヌル信号を送信することにより、基地局は、第２の周波数帯において、ガードタイムの区間とヌル信号が送信される第２のＵＬ信号のプリアンブル区間とを合わせた区間を干渉測定区間として、干渉測定を行うことができる。
【０１６２】
なお、上記で説明したフレーム構成では、基地局が、ＤＬ信号の送信区間において、第１の周波数帯（周波数ｆ１）、第２の周波数帯（周波数ｆ２）の両方を用いてＤＬ信号する例について説明した。ＤＬ信号は、基地局が端末へフィードバックする制御情報であり、そのサイズは、ＵＬ信号と比較して小さい。また、ＦＰＵでは、ＵＬ信号の伝送効率を向上させるために、ＤＬ信号の伝送区間を短くしても良い。そのため、無線通信システムが複数の周波数帯を用いて通信を行う場合、基地局は、複数の周波数帯のうち少なくとも１つを用いてＤＬ信号を送信しても良い。この場合、ＤＬ信号が送信されない周波数帯では、ＤＬ信号の送信区間において、端末がＤＬ信号の代わりにＵＬ信号を送信しても良い。
【０１６３】
以下では、本実施の形態４の変形例として、第１の周波数帯と第２の周波数帯のうち、ＤＬ信号が第１の周波数帯を用いて送信され、第２の周波数帯では、ＤＬ信号の送信区間において、ＤＬ信号の代わりにＵＬ信号が送信される例について説明する。
【０１６４】
（実施の形態４の変形例）
図１７は、本実施の形態４の変形例におけるフレーム構成を示す図である。図１７には、第１の周波数帯、第２の周波数帯それぞれのフレーム構成が示される。
【０１６５】
図１７の第１の周波数帯（周波数ｆ１）のフレーム構成に示すように、ｎ番目のフレーム（Ｆｒａｍｅ  ＃ｎ）のＵＬ信号の送信区間において、端末は、第１の周波数帯を用いてＵＬ信号を送信する。そして、ｎ番目のフレームのＤＬ信号の送信区間において、基地局は、第１の周波数帯を用いてＤＬ信号を送信する。その際、基地局は、干渉測定を実行するために、ＵＬ信号のプリアンブル区間にヌル信号を送信することを示すＤＬプリアンブルを送信する。
【０１６６】
図１７の第２の周波数帯（周波数ｆ２）のフレーム構成に示すように、ｎ番目のフレームのＤＬ信号の送信区間において、基地局は、第２の周波数帯を用いてＤＬ信号を送信しない。一方で、端末は、ｎ番目のフレームのＵＬ信号の送信区間とＤＬ信号の送信区間（端末における受信区間）において、第２の周波数帯を用いてＵＬ信号を送信する。その際、端末は、ＵＬプリアンブルの長さを変更する必要が無いため、第２の周波数帯を用いて送信するＵＬ信号のＵＬデータの信号を長くすることができる。
【０１６７】
そして、端末は、第１の周波数帯を用いて基地局が送信した、ＤＬプリアンブルを含むＤＬ信号を受信し、次のフレーム（ｎ＋１番目のフレーム（Ｆｒａｍｅ  ＃ｎ＋１））において、ＵＬ信号のプリアンブル区間にヌル信号を送信する。
【０１６８】
具体的には、図１７に示すように、端末は、第２の周波数帯を用いて送信するＵＬ信号のプリアンブル区間における、フレームの境界に設けられるガードタイムと連続する一部の区間において、ヌル信号を送信する。そして、端末は、ヌル信号を送信しないプリアンブル区間において、ＵＬプリアンブルを送信する。ＵＬ信号のプリアンブル区間の一部でヌル信号を送信し、残りの一部でＵＬプリアンブルを送信する構成については、実施の形態３において説明したので、説明は省略する。
【０１６９】
基地局は、フレーム境界に設けられるガードタイムの区間とヌル信号が送信されたプリアンブル区間の一部とを合わせた区間を干渉測定区間として、干渉測定を行う。
【０１７０】
以上、本実施の形態４の変形例では、第１の周波数帯と第２の周波数帯のうち、基地局が第１の周波数帯を用いてＤＬ信号を送信し、第２の周波数帯では、ＤＬ信号の送信区間において、端末がＵＬ信号を送信する場合に、端末が、ＵＬ信号のプリアンブル区間の一部において、第２の周波数帯を用いてヌル信号を送信する。これにより、基地局は、ガードタイムの区間とヌル信号が送信されるＵＬ信号のプリアンブル区間とを合わせた区間を干渉測定区間として、干渉測定を行うことができるため、ガードタイムを余分に長くすること無く、干渉測定の精度の劣化を防止することができる。
【０１７１】
また、本実施の形態４の変形例では、図１７の第２の周波数帯のフレーム構成に示すように、１つのフレーム内でＵＬ信号とＤＬ信号との間を切替えないため、ガードタイムは、フレームの境界のみに設けられれば良く、また、基地局、端末、それぞれにおいて、送受を切替えるための時間も不要である。このため、第２の周波数帯のフレーム構成では、フレーム境界のガードタイムを長く設定することができ、干渉測定区間を長くすることができる。また、フレーム境界のガードタイムを長く設定することにより、基地局において必要な干渉測定区間を確保するためのヌル信号の区間を短く設定できる。その結果、端末は、ＵＬ信号のプリアンブル区間の少なくとも一部においてＵＬプリアンブルを送信することができるため、基地局における干渉検出の精度の向上と、ＵＬプリアンブルを受信して得られるＡＧＣ、タイミング情報の特性劣化を防止できる。
【０１７２】
なお、本実施の形態４の変形例では、２つの周波数帯を用いる例として説明したが、本開示はこれに限定されない。ＵＬ信号、および／または、ＤＬ信号の送受信に用いられる周波数帯は、３つ以上であってもよい。この場合、基地局は、複数の周波数帯のうち、いずれか少なくとも１つの周波数帯を用いて、ＵＬ信号のプリアンブル区間にヌル信号を送信することを示すＤＬプリアンブルを含むＤＬ信号を送信する。また、端末は、基地局がＤＬ信号を送信しない周波数帯の少なくとも１つを用いて、ＵＬ信号の送信区間とＤＬ信号の送信区間において、ＵＬ信号を送信する。その際、端末は、基地局がＤＬ信号を送信する周波数帯では、ＵＬ信号の送信区間においてＵＬ信号を送信する。そして、端末は、ＤＬ信号を受信し、基地局がＤＬ信号を送信しない周波数帯の少なくとも１つを用いて送信するＵＬ信号のプリアンブル区間の一部でヌル信号を送信する。
【０１７３】
また、本実施の形態４の変形例では、端末がＵＬ信号のプリアンブル区間の一部でヌル信号を送信し、残りの一部でＵＬプリアンブルを送信する例について説明したが、端末は、ＵＬ信号のプリアンブル区間の一部ではなく、全てにおいて、ヌル信号を送信しても良い。
【０１７４】
また、本実施の形態４の変形例では、基地局が、干渉測定を実行するために、ＵＬ信号のプリアンブル区間にヌル信号を送信することを示すＤＬプリアンブルを送信する例について説明したが、本開示はこれに限定されない。例えば、実施の形態１において説明したように、基地局が、干渉測定を実行するために、選択信号を含むＤＬ信号を送信しても良い。
【０１７５】
なお、ＵＬ信号のみが送信される周波数帯（図１７における第２の周波数帯）は、任意の周波数帯に設定可能である。例えば、通常どちらか片方の周波数帯を、固定的に、ＵＬ信号のみが送信される周波数帯に設定し、基地局が他の周波数帯を干渉測定したい場合のみ、当該他の周波数帯をＵＬ信号のみが送信される周波数帯に設定しても良い。あるいは、各周波数帯を、交互に、ＵＬ信号のみが送信される周波数帯に設定してもよい。
【０１７６】
なお、上記で説明した実施の形態４およびその変形例は、２つの周波数帯を用いる例として説明したが、本開示はこれに限定されない。ＵＬ信号、および／または、ＤＬ信号の送受信に用いられる周波数帯は、３つ以上であってもよい。
【０１７７】
（実施の形態５）
上述した各実施の形態では、基地局が干渉測定を行うために、端末にヌル信号の送信を要求し、端末がＵＬプリアンブル区間にてヌル信号を送信する例について説明した。しかしながら、本開示は基地局が干渉測定を行う例に限定されない。本実施の形態５では、端末も干渉測定を行うために、基地局がＤＬプリアンブル区間にてヌル信号を送信する例について説明する。
【０１７８】
＜基地局の構成＞
本実施の形態５に係る基地局の構成について図１８を用いて説明する。図１８は、本実施の形態５に係る基地局７００の構成例を示すブロック図である。なお、図１８において、図２と同様の構成については、同一の符番を付し、説明を省略する。
【０１７９】
基地局７００は、図２に示した基地局２００のプリアンブル生成部２０４が、プリアンブル設定部７０４に置き換わった構成を採る。そして、判定部２０１は、判定結果をプリアンブル設定部７０４（具体的には、後述する切替部７０４ｄ）へ出力する。
【０１８０】
プリアンブル設定部７０４は、判定部２０１から取得する判定結果に基づき、プリアンブルを設定する。プリアンブル設定部７０４は、プリアンブル生成部７０４ａ、ヌル信号生成部７０４ｂ、判定結果保持部７０４ｃ、および、切替部７０４ｄを有する。
【０１８１】
プリアンブル生成部７０４ａは、プリアンブルを生成し、切替部７０４ｄへ出力する。プリアンブルデータは、予め基地局７００と後述する端末８００とが既知のシンボルデータ等である。
【０１８２】
ヌル信号生成部７０４ｂは、ヌル信号を生成し、切替部７０４ｄへ出力する。
【０１８３】
判定結果保持部７０４ｃは、判定部２０１から取得する判定結果を保持し、１フレーム分保持する。例えば、判定結果保持部７０４ｃは、ｎ番目のフレームのＤＬ信号の生成処理の際の判定部２０１の判定結果を、ｎ＋１番目のフレームのＤＬ信号の生成処理まで保持し、ｎ＋１番目のフレームのＤＬ信号の生成処理の際に、切替部７０４ｄへ出力する。
【０１８４】
切替部７０４ｄは、判定部２０１から取得する判定結果が、ＵＬプリアンブル区間にヌル信号を送信することを示す場合、ヌル信号生成部７０４ｂから取得するヌル信号を付加部２０５へ出力する。切替部７０４ｄは、判定部２０１から取得する判定結果が、プリアンブルにヌル信号を送信しないことを示す場合、プリアンブル生成部７０４ａから取得するプリアンブルを付加部２０５へ出力する。
【０１８５】
＜端末の構成＞
次に、本実施の形態５に係る端末８００の構成例について図１９を用いて説明する。図１は、本実施の形態５に係る端末８００の構成例を示すブロック図である。なお、図１９において、図１と同様の構成については、同一の符番を付し、説明を省略する。
【０１８６】
端末８００は、図１に示した端末１００のＡＧＣ／同期検出部１０３と受信処理制御部１０４が、ＡＧＣ／同期検出部８０９と受信処理制御部８１１に置き換わり、ＡＧＣ／同期保持部８１０と干渉測定部８１２が追加された構成を採る。そして、判定部１０５は、判定結果を受信処理制御部８１１へ出力する構成を採る。
【０１８７】
ＡＧＣ／同期検出部８０９は、無線受信部１０１から取得したベースバンド信号に含まれるプリアンブルに基づいて、送受信間の同期のためのタイミングの情報、および、受信処理等における利得制御（ＡＧＣ）のための情報（例えば、信号レベル）を検出する。そして、ＡＧＣ／同期検出部８０９は、タイミング、ＡＧＣのための情報の検出結果をＡＧＣ／同期保持部８１０および受信処理制御部８１１へ出力する。
【０１８８】
なお、ＡＧＣ／同期検出部８０９は、基地局７００がプリアンブル区間にヌル信号を送信する場合、プリアンブルが存在しないため、検出処理を実行せず、検出結果を出力しない。
【０１８９】
ＡＧＣ／同期保持部８１０は、ＡＧＣ／同期検出部８０９が検出したＡＧＣ、タイミングの最新の検出結果を保持する。
【０１９０】
受信処理制御部８１１は、受信処理のタイミング、および、ＡＧＣを制御する。具体的には、受信処理制御部８１１は、ベースバンド受信処理の開始時点、終了時点等の処理タイミングを示すタイミング情報をベースバンド受信処理部１０２へ出力する。また、受信処理制御部８１１は、干渉測定の開始時点、終了時点等の処理タイミングを示すタイミング情報を干渉測定部８１２へ出力する。また、受信処理制御部８１１は、ＡＧＣの情報を無線受信部１０１へ出力する。
【０１９１】
その際、受信処理制御部８１１は、ＡＧＣ／同期検出部８０９から検出結果を取得する場合、取得した検出結果に基づいて、タイミング情報およびＡＧＣの情報を生成する。また、受信処理制御部８１１は、ＡＧＣ／同期検出部８０９から検出結果を取得しない場合、つまり、プリアンブル区間にヌル信号が送信された場合、ＡＧＣ／同期保持部８１０に保持された検出結果に基づいて、タイミング情報およびＡＧＣの情報を生成する。
【０１９２】
干渉測定部８１２は、受信処理制御部８１１から取得するタイミング情報に基づき、ガードタイムの区間、または、ガードタイムの区間とヌル信号が送信されたプリアンブル区間とを合わせた区間を干渉測定区間として、干渉測定区間の受信レベル（干渉量、例えば、受信強度（ＲＳＳＩ：Received Signal Strength Indicator））を測定する。干渉測定部８１２は、測定結果を無線送信部１０９へ出力する。
【０１９３】
＜フレーム構成＞
次に、本実施の形態５に係る無線通信システムにおけるフレーム構成について、図２０を参照して説明する。図２０は、本実施の形態５におけるフレーム構成の一例を示す図である。
【０１９４】
図２０に示す実施の形態５におけるフレーム構成と、図３に示した実施の形態１におけるフレーム構成との相違点は、ｎ＋１番目のフレームのＤＬプリアンブル区間にヌル信号が送信される点である。
【０１９５】
基地局７００は、図２０に示すように、ｎ＋１番目のフレームのＵＬプリアンブル区間にて端末８００にヌル信号を送信させる場合、ｎ番目のフレームにて選択信号「１」を送信し、ｎ＋１番目のフレームのＤＬプリアンブル区間にてヌル信号を送信する。端末８００は、ｎ＋１番目のフレームのＵＬプリアンブル区間にてヌル信号を送信する。そして、基地局７００は、ｎ＋１番目のＵＬプリアンブル区間を含む区間を干渉測定区間として、干渉測定を行い、端末８００は、ｎ＋１番目のＤＬプリアンブル区間を含む区間を干渉測定区間として、干渉測定を行うことができる。
【０１９６】
以上、本実施の形態５によれば、基地局７００は、干渉測定を実行する場合に、ＵＬ信号のプリアンブル区間にヌル信号を送信することを示す選択信号を端末８００に対して送信し、選択信号を送信した次のフレームにおけるＤＬプリアンブル区間においてヌル信号を送信する。端末８００は、受信した選択信号に基づいて、ＵＬ信号のプリアンブル区間にヌル信号を送信し、ＵＬ信号を送信した後に受信するＤＬ信号のプリアンブル区間にて干渉測定を行う。その結果、基地局７００は、ガードタイムの区間とヌル信号が送信されるＵＬ信号のプリアンブル区間とを合わせた区間を干渉測定区間として、干渉測定を行うことができ、端末８００は、ガードタイムの区間とヌル信号が送信されるＤＬ信号のプリアンブル区間とを合わせた区間を干渉測定区間として、干渉測定を行うことができるため、ガードタイムを余分に長くすること無く、干渉測定の精度の劣化を防止することができる。
【０１９７】
なお、上記で説明した各実施の形態およびそれらの変形例は、適宜組み合わせても良いし、適宜切替えてもよい。
【０１９８】
また、上記で説明した各実施の形態およびそれらの変形例は、主に、基地局が、干渉測定を実行する場合に、端末に対してＵＬ信号のプリアンブル区間にヌル信号を送信する要求を行う例について説明したが、本開示はこれに限定されない。上記の各実施の形態およびそれらの変形例にて基地局の構成として説明した構成を有する端末が、干渉測定を実行する場合に、基地局に対してＤＬ信号のプリアンブル区間にヌル信号を送信する要求を行っても良い。その場合、上記の各実施の形態およびそれらの変形例にて端末の構成として説明した構成を有する基地局が、ＤＬ信号のプリアンブル区間にヌル信号を送信する要求に基づいて、ＤＬ信号のプリアンブル区間にヌル信号を送信し、端末が、ＤＬ信号のプリアンブル区間のヌル信号を含む区間を干渉測定区間として、干渉測定を行う。
【０１９９】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【０２００】
上記各実施の形態では、本開示はハードウェアを用いて構成する例にとって説明したが、本開示はハードウェアとの連携においてソフトウェアでも実現することも可能である。
【０２０１】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２０２】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【０２０３】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【０２０４】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【０２０５】
また、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。
【産業上の利用可能性】
【０２０６】
本開示は、ＦＰＵ等の端末、基地局に用いるに好適である。
【符号の説明】
【０２０７】
１００、４００、５００、８００  端末
１０１、２０７  無線受信部
１０２、２０８  ベースバンド受信処理部
１０３、２０９、６０９、８０９  ＡＧＣ／同期検出部
１０４、２１１、６１１、８１１  受信処理制御部
１０５、２０１、４０５  判定部
１０６、２０３  ベースバンド送信処理部
１０７、５０７、７０４  プリアンブル設定部
１０７ａ、２０４、３０４、７０４ａ  プリアンブル生成部
１０７ｂ、７０４ｂ  ヌル信号生成部
１０７ｃ、７０４ｄ  切替部
１０８、２０５  付加部
１０９、２０６  無線送信部
２００、３００、６００、７００  基地局
２０２  選択信号生成部
２１０、８１０  ＡＧＣ／同期保持部
２１２、６１２、８１２  干渉測定部
３０４ａ、５０７ａ  配置部
３０４ｂ、５０７ｂ  逆フーリエ変換部
３０４ｃ  極性変更部
５０７ｃ  ヌル信号置換部
７０４ｃ  判定結果保持部
【図１】
2018117335.tif 000003
【図２】
2018117335.tif 000004
【図３】
2018117335.tif 000005
【図４】
2018117335.tif 000006
【図５】
2018117335.tif 000007
【図６】
2018117335.tif 000008
【図７】
2018117335.tif 000009
【図８】
2018117335.tif 000010
【図９】
2018117335.tif 000011
【図１０】
2018117335.tif 000012
【図１１Ａ】
2018117335.tif 000013
【図１１Ｂ】
2018117335.tif 000014
【図１２】
2018117335.tif 000015
【図１３】
2018117335.tif 000016
【図１４】
2018117335.tif 000017
【図１５】
2018117335.tif 000018
【図１６】
2018117335.tif 000019
【図１７】
2018117335.tif 000020
【図１８】
2018117335.tif 000021
【図１９】
2018117335.tif 000022
【図２０】
2018117335.tif 000023